(57)【要約】【課題】本発明は、光学フィルムを提供する。【解決手段】透明の支持素材と構造化層を含む光学フィルムであって、前記構造化層は、前記透明の支持素材に整合的に形成されるとともに、複数の集光ユニットを有する。前記集光ユニットは、長さに沿って高さを変化するまたはプリズム構造同士の距離を変化するデザインを有することにより、光学フィルムにおける光学上の欠陥（例えば、吸着）を解決し、ひいては光学フィルムの光学特性を向上する。【選択図】図３
2014041351.tif 000002
【特許請求の範囲】
【請求項１】
透明の支持素材と、全体的に前記透明の支持素材の長さ方向に沿って配列される複数のプリズムを有する構造化層と、を有し、少なくとも一つ前記のプリズムの高さは、その長さ方向に沿って変化し、前記高さの変化は、第１変化モデルと第２変化モデルを含み、前記第２モデルによる発生するトラックは、前記第２モデルによる発生するトラックに沿って重なり合うことを特徴とする光学フィルム。
【請求項２】
前記第１及び第２変化段階は、規則的、半規則的、ランダム又はランダム類似の方式によって変化することを特徴とする請求項１に記載の光学フィルム。
【請求項３】
前記第１変化モデルは、第１変化の公称周期を有し、前記第２変化モデルは、第２変化の公称周期を有し、前記第１変化の公称周期は第２変化の公称周期の０．０１倍乃至１，０００倍であることを特徴とする請求項１に記載の光学フィルム。
【請求項４】
前記第１変化の公称周期の長さは、５０μｍ〜１，０００ｍｍであり、且つ、２μｍ〜１０μｍの平均振幅を有することを特徴とする請求項３に記載の光学フィルム。
【請求項５】
前記第２変化の公称周期の長さは、５０μｍ〜１，０００ｍｍであり、且つ、１μｍ〜１０μｍの平均振幅を有することを特徴とする請求項３に記載の光学フィルム。
【請求項６】
前記第１変化モデルと第２変化モデルより発生されるトラックは、正弦波、矩形波、のこぎり波又は三角波であることを特徴とする請求項１に記載の光学フィルム。
【請求項７】
前記プリズム同士の距離は、１０μｍ〜２００μｍであることを特徴とする請求項１に記載の光学フィルム。
【請求項８】
前記プリズム同士の距離は、２４μｍ乃至６０μｍであることを特徴とする請求項７に記載の光学フィルム。
【請求項９】
前記プリズムにおける表面の夾角は、７０度〜１１０度の何れかの角度であることを特徴とする請求項１に記載の光学フィルム。
【請求項１０】
前記プリズムにおける表面の夾角は、８０度〜１００度の何れかの角度であることを特徴とする請求項９に記載の光学フィルム。
【請求項１１】
透明の支持素材と、全体的に前記透明の支持素材の長さ方向に沿って配列される複数のプリズムを有する構造化層と、を有し、前記プリズム同士の距離は、第１変化モデルによって変化し、又、前記プリズムの高さは、その長さ方向に沿って第２モデルによって変化することを特徴とする光学フィルム。
【請求項１２】
前記第１及び第２変化段階は、規則的、半規則的、ランダム又はランダム類似の方式によって変化することを特徴とする請求項１１に記載の光学フィルム。
【請求項１３】
前記第１変化モデルは、第１変化の公称周期を有し、前記第２変化モデルは、第２変化の公称周期を有し、前記第１変化の公称周期は第２変化の公称周期の０．０１倍乃至１，０００倍であることを特徴とする請求項１１に記載の光学フィルム。
【請求項１４】
前記第１変化の公称周期の長さは、５０μｍ〜１，０００ｍｍであり、且つ、２μｍ〜１０μｍの平均振幅を有することを特徴とする請求項１３に記載の光学フィルム。
【請求項１５】
前記第２変化の公称周期の長さは、５０μｍ〜１，０００ｍｍであり、且つ、１μｍ〜１０μｍの平均振幅を有することを特徴とする請求項１３に記載の光学フィルム。
【請求項１６】
前記第１変化モデルと第２変化モデルより発生されるトラックは、正弦波、矩形波、のこぎり波又は三角波であることを特徴とする請求項１１に記載の光学フィルム。
【請求項１７】
前記プリズム同士の距離は、１０μｍ〜２００μｍであることを特徴とする請求項１１に記載の光学フィルム。
【請求項１８】
前記プリズム同士の距離は、２４μｍ乃至６０μｍであることを特徴とする請求項１７に記載の光学フィルム。
【請求項１９】
前記プリズムにおける表面の夾角は、７０度〜１１０度の何れかの角度であることを特徴とする請求項１１に記載の光学フィルム。
【請求項２０】
前記プリズムにおける表面の夾角は、８０度〜１００度の何れかの角度であることを特徴とする請求項１９に記載の光学フィルム。
【請求項２１】
透明の支持素材と、全体的に前記透明の支持素材の長さ方向に沿って配列される複数のプリズムを有する構造化層と、を有し、前記プリズムは、その長さ方向の延伸トラックが第１変化モデルによって変化し、又、前記プリズムの高さは、その長さ方向に沿って第２モデルによって変化することを特徴とする光学フィルム。
【請求項２２】
前記第１及び第２変化段階は、規則的、半規則的、ランダム又はランダム類似の方式によって変化することを特徴とする請求項２１に記載の光学フィルム。
【請求項２３】
前記第１変化モデルは、第１変化の公称周期を有し、前記第２変化モデルは、第２変化の公称周期を有し、前記第１変化の公称周期は第２変化の公称周期の０．０１倍乃至１，０００倍であることを特徴とする請求項２１に記載の光学フィルム。
【請求項２４】
前記第１変化の公称周期の長さは、５０μｍ〜１，０００ｍｍであり、且つ、２μｍ〜１０μｍの平均振幅を有することを特徴とする請求項２３に記載の光学フィルム。
【請求項２５】
前記第２変化の公称周期の長さは、５０μｍ〜１，０００ｍｍであり、且つ、１μｍ〜１０μｍの平均振幅を有することを特徴とする請求項２３に記載の光学フィルム。
【請求項２６】
前記第１変化モデルと第２変化モデルより発生されるトラックは、正弦波、矩形波、のこぎり波又は三角波であることを特徴とする請求項２１に記載の光学フィルム。
【請求項２７】
前記プリズム同士の距離は、１０μｍ〜２００μｍであることを特徴とする請求項２１に記載の光学フィルム。
【請求項２８】
前記プリズム同士の距離は、２４μｍ乃至６０μｍであることを特徴とする請求項２７に記載の光学フィルム。
【請求項２９】
前記プリズムにおける表面の夾角は、７０度〜１１０度の何れかの角度であることを特徴とする請求項２１に記載の光学フィルム。
【請求項３０】
前記プリズムにおける表面の夾角は、８０度〜１００度の何れかの角度であることを特徴とする請求項２９に記載の光学フィルム。
【請求項３１】
前記プリズムの高さは、前記第１変化モデルによりその長さ方向に沿って変化し、前記高さは、前記第２変化モデルより発生されるトラックが前記第１変化モデルより発生されるトラックに沿って重なり合うことを特徴とする請求項２１に記載の光学フィルム。
【請求項３２】
請求項１乃至請求項３１の何れか一つに記載の光学フィルムを含むことを特徴とする液晶表示装置。
【請求項３３】
請求項１乃至請求項３１の何れか一つに記載の光学フィルムを含むことを特徴とする液晶表示装置のバックライトモジュール。
【発明の詳細な説明】
【技術分野】
【０００１】
本発明は、光学フィルムに関し、特に光学の欠陥を（例えば、吸着とモアレなどの問題）防止できる光学フィルムであり、更に特にフラットパネルディスプレイ（ＦＰＤ）のバックライトモジュールに用いられる光学フィルムに関するものである。
【背景技術】
【０００２】
フラットパネルディスプレイのバックライトモジュールとそのよく使用される構成は、既に当業者にとって周知されるものである。現在のフラットパネルディスプレイのバックライトモジュールには、二枚の輝度向上シート（ｌｉｇｈｔ  ｅｎｈａｎｃｅｍｅｎｔ  ｓｈｅｅｔｓ）を使用することにより、優れた輸出の輝度を得ることができる。しかし、この二枚の輝度向上シートとの間隔が縮めることにより、欲しくない光学カップリング現象（即ち、吸着）はより発生しやすくなる。
【０００３】
「吸着」（ｗｅｔ−ｏｕｔ）の発生を低減するために、従来の方法は、光学フィルム同士を物理的に離れて、つまり、相隣の光学フィルムの高さを変化することである。米国特許第５，７７１，３２８号により掲示されたのは、高いプリズム（符号５６）と低いプリズム（符号５４）を有する光学フィルムであり、この構成により、他の光学フィルムと接触すると、前記他の光学フィルムとの近さを物理的に制限することができ、ひいては視覚により判別可能な吸着状況を低減することができる。
【先行技術文献】
【特許文献】
【０００４】
【特許文献１】米国特許第５，７７１，３２８号
【発明の概要】
【発明が解決しようとする課題】
【０００５】
しかし、この従来の高いプリズムは、光学フィルムの表面に視覚により判別可能な直線が現れる可能性がある。
【０００６】
よって、本出願人は、前記従来技術の光学欠陥に鑑み、前記光学欠陥を解決できる新たな光学フィルムを提供することを目的とする。
【課題を解決するための手段】
【０００７】
本発明は、構造化の表面を有する光学フィルムを提供し、前記構造化の表面は、ディスプレイにおける光学欠陥の発生を防止でき、特に、前記構造化の表面におけるランダム又は不均一の光学特性、吸着とモアレなどの欠陥を防止できる。
2014041351.tif 000003
【０００８】
透明の支持素材と構造化層を含む光学フィルムを提供し、前記構造化層は、前記透明の支持素材に整合的に形成されるとともに、複数の集光ユニットを有する。前記集光ユニットは、長さに沿って高さを変化するまたはプリズム構造同士の距離を変化するデザインを有することにより、光学フィルムにおける光学上の欠陥（例えば、吸着）を解決し、ひいては光学フィルムの光学特性を向上する。
【０００９】
本発明の一つの実施形態は、透明の支持素材と、全体的に前記透明の支持素材の長さ方向に沿って配列される複数のプリズムを有する構造化層と、を有し、少なくとも一つ前記のプリズムの高さは、その長さ方向に沿って変化し、前記高さの変化は、第１変化モデルと第２変化モデルを含み、前記第２モデルによる発生するトラックは、前記第２モデルによる発生するトラックに沿って重なり合うことを特徴とする光学フィルムを提供する。
【００１０】
本発明の他の実施形態は、透明の支持素材と、全体的に前記透明の支持素材の長さ方向に沿って配列される複数のプリズムを有する構造化層と、を有し、前記プリズム同士の距離は、第１変化モデルによって変化し、又、前記プリズムの高さは、その長さ方向に沿って第２モデルによって変化することを特徴とする光学フィルムを提供する。
【００１１】
本発明の更に他の実施形態は、透明の支持素材と、全体的に前記透明の支持素材の長さ方向に沿って配列される複数のプリズムを有する構造化層と、を有し、前記プリズムは、その長さ方向の延伸トラックが第１変化モデルによって変化し、又、前記プリズムの高さは、その長さ方向に沿って第２モデルによって変化することを特徴とする光学フィルムを提供する。
【図面の簡単な説明】
【００１２】
【図１】本発明の実施の形態に係る光学フィルムの第１変化構成を概略的に示す参考図である。
【図２】本発明の実施の形態に係る光学フィルムの第１変化構成を概略的に示す他の参考図である。
【図３】本発明の実施の形態に係る光学フィルムの第１変化構成の実施例を概略的に示す参考図である。
【図４】本発明の実施の形態に係る光学フィルムの第２変化構成を概略的に示す参考図である。
【図５】本発明の実施の形態に係る光学フィルムの第２変化構成の第１実施例を概略的に示す参考図である。
【図６】本発明の実施の形態に係る光学フィルムの第２変化構成の第２実施例を概略的に示す参考図である。
【図７】本発明の実施の形態に係る光学フィルムの第３変化構成を概略的に示す参考図である。
【図８】本発明の実施の形態に係る光学フィルムの第３変化構成の実施例を概略的に示す参考図である。
【図９】本発明の実施の形態に係る光学フィルムのまた他の変化構成を概略的に示す参考図である。
【図１０Ａ】本発明の実施の形態に係る光学フィルムの第２変化構成（図４）の他の実施例を概略的に示す参考図である。
【図１０Ｂ】図１０Ａの第２変化構成を実施する光学フィルムを示す参考図である
【図１１】図１０Ｂの光学フィルムと液晶パネルとの相対位置関係を示す参考図である。
【図１２】図１０Ｂの光学フィルムと他の光学フィルムとの相対位置関係を示す参考図である。
【図１３】表１におけるサンプル１１が顕微鏡による観測される実際の外観図である。
【図１４】サンプル１１が三次元微細形状測定機（Ｋｏｓａｋａ  ＥＴ４０００ａ）による観測される二次元微細形状を示す参考図である。
【図１５】サンプル１１が三次元微細形状測定機（Ｋｏｓａｋａ  ＥＴ４０００ａ）による観測される三次元微細形状を示す参考図である。
【発明を実施するための形態】
【００１３】
本発明は、その長さ方向（プリズム）に沿って高さ又は距離を変化する構成の光学フィルムであり、前記変化は、少なくとも二つの公称周期（ｎｏｍｉｎａｌ  ｐｅｒｉｏｄｓ）を有し、第１変化段階は、第２変化段階より大きい。
しかし、前記変化は周期性を有しなくではよく、またはより幅広い変化方式であってもよく、例えば、周期性なくランダムの変化または重なる（複数）周期性変化であり、従って、本発明は、第１変化モデルと第２変化モデルにて幅広い変化方式によって制限しでもよい。
前記公称周期は、第１変化モデルにおける周期長さの平均値であり、即ち第１変化モデルにおける各周期の長さまたは周期の距離は、固定でもよく固定しなくでもよい。
例えば、第１変化モデルは、周期長さＰ１１、Ｐ１２、Ｐ１３、Ｐ１１、Ｐ１２、Ｐ１３…のように変化し、ただし、Ｐ１１、Ｐ１２、Ｐ１３は、同一でもよく完全に異なってもよい。以下の実施例は、上述のように定義して説明し、第１変化段階と第２変化段階は、第１変化モデルと第２変化モデルより変更してもよい。
図１の（ａ）〜（ｃ）は、本発明の実施の形態に係る光学フィルムの第１変化構成を概略的に示すものである。二つの変化段階が正弦波（ｓｉｎｅ  ｗａｖｅ）より表現され、第１変化段階（図１の（ａ）又は第１変化モデルを称す）と第２変化段階（図１の（ｂ）又は第２変化モデルを称す）とを結合することにより、複合の変化段階（図１の（ｃ）又は複合の変化モデルを称す）になる。実際には、この複合の変化段階は、光学フィルムに適用してその長さ方向にプリズムの高さ又は／及び距離を変化することができる（即ち、いずれか二つのプリズムとの中心距離は固定しない）。
第１及び第２変化段階は、共に規則的、半規則的、ランダム又はランダム類似の方式によって側方向（ここで、側方向は、前記正弦波において進行方向に向かって側方向又は左右に揺れる方向であり、各プリズムの側方向ではない）に向かって変化する。
第１変化は、５０μｍ〜１，０００μｍの公称周期を有し、また、第２変化は、５０μｍ〜１，０００μｍの公称周期を有し、第１変化の公称周期は、第２変化の公称周期の４倍〜１，０００倍である。或いは、第１変化の公称周期は、第２変化の公称周期の０．０１倍〜１，０００倍である。
【００１４】
より説明し易い及びわかり易いために、以下にＸ、Ｙ、Ｚの直交座標系（図１の（ｃ））により変化の方向を解釈する。Ｘ軸は、プリズムにおける波の峰と波の谷との方向に平行し、又は側方向と称す。Ｙ軸は、Ｘ軸と直交し、即ちプリズムの長さ方向である。Ｚ軸は、Ｘ軸とＹ軸と直交し、即ちプリズムの高さ方向である。この第１変化構成において、プリズムの高さ（Ｚ軸）は、プリズムの長さ方向（Ｙ軸）に沿って変化する。前記第１と第２変化段階は、共にＹ軸に沿ってＺ軸の変化を現る、即ち、プリズムの高さ（Ｚ軸）はプリズムの長さ方向（Ｙ軸）に沿って第１変化モデルと第２変化モデルを重なり合う変化がある。前記プリズム同士の距離は、固定と平行している。
【００１５】
図２の（ａ）〜（ｃ）は、本発明の実施の形態に係る光学フィルムの第１変化構成を概略的に示す他の参考図である。二つの変化段階が矩形波（ｓｑｕａｒｅ  ｗａｖｅ）より表現され、第１変化段階（図２の（ａ））と第２変化段階（図２の（ｂ））とを結合することにより、複合の変化段階（図２の（ｃ））になる。実際には、この複合の変化段階は、光学フィルムに適用してその長さ方向にプリズムの高さＨ又は／及び距離Ｐを変化することができる。第１及び第２変化段階は、共に規則的、半規則的、ランダム又はランダム類似の方式によって側方向に向かって変化する。第１変化は、５０μｍ〜１，０００μｍの公称周期を有し、また、第２変化は、５０μｍ〜１，０００μｍの公称周期を有し、第１変化の公称周期は、第２変化の公称周期の４倍〜１，０００倍である。或いは、第１変化の公称周期は、第２変化の公称周期の０．０１倍〜１，０００倍である。更に、第１と第２変化段階は、いずれか形式の波形であってもよく、例えば、正弦波、矩形波、のこぎり波、三角波などである。
【００１６】
図３の（ａ）〜（ｄ）は、本発明の実施の形態に係る光学フィルムの第１変化構成の実施例を概略的に示す参考図である。図３の（ａ）は、本発明の輝度向上フィルム３０であり、図３の（ｂ）は、図３の（ａ）に示す輝度向上フィルム３０の平面図であり、図３の（ｃ）は、図３の（ａ）に示す輝度向上フィルム３０の前面図であり、図３の（ｄ）は、図３の（ａ）に示す輝度向上フィルム３０における一つのプリズムの稜線に沿って破断する断面図である。
前記第１と第２変化段階は矩形波の方式によってプリズム構造における高さの変化を表現する。第１変化の公称周期ＰＲ１は、第２変化の公称周期ＰＲ２の４倍〜４００倍である。或いは、第１変化の公称周期ＰＲ１は、第２変化の公称周期ＰＲ２の０．０１倍〜１，０００倍である。輝度向上フィルム３０構造（プリズム３１）の間隔Ｐは、１０μｍ〜２００μｍで好ましく、より好ましいのは、２４μｍ〜６０μｍである。
第１変化段階は、１μｍ〜５μｍの平均振幅があり、即ちプリズム３１構造における高さの全体変化は、１μｍ〜５μｍである。前記プリズム３１構造における表面の夾角αは、７０度〜１１０度の何れかの角度であり、より好ましいのは、８０度〜１００度である。本実施例のプリズム構造は、プリズム（輝度向上フィルム）の構造化表面と相隣の他のプリズム平面との接触面積を低減することができることにより、光学カップリング現象の発生を低減できる。図３の（ｂ）に示すように、輝度向上フィルム３０は、透明の支持素材３３と構造化層３２を含み、前記構造化層３２は、前記透明の支持素材３３に整合的に形成される。
【００１７】
図４の（ａ）〜（ｅ）は、本発明の実施の形態に係る光学フィルムの第２変化構成を概略的に示す参考図である。プリズムの高さ（Ｚ軸）は、プリズムの長さ方向（Ｙ軸）と側方向（Ｘ軸）に沿って変化する。前記第１変化段階（図４の（ａ））は、Ｘ軸に沿ってＺ軸に変化する、又は前記第２変化段階（図４の（ｂ））は、Ｙ軸に沿ってＺ軸に変化する。前記プリズム同士の距離は、固定と平行している。
【００１８】
図５の（ａ）〜（ｄ）は、本発明の実施の形態に係る光学フィルムの第２変化構成の第１実施例を概略的に示す参考図であり、図６の（ａ）〜（ｄ）は、本発明の実施の形態に係る光学フィルムの第２変化構成の第２実施例を概略的に示す参考図である。
第１と第２変化段階（他の実施例において周期性なく又はランダムに変化の場合、第１変化モデルと第２変化モデルと称す、本発明はこの実施例に制限されるものではない）は、プリズム構造の高さに表現する。第１変化の公称周期は、第２変化の公称周期の４倍〜４００倍である。或いは、第１変化の公称周期は、第２変化の公称周期の０．０１倍〜１，０００倍である。前記プリズム同士の距離は、固定と平行している。輝度向上フィルム５０構造（プリズム５１）の間隔は、１０μｍ〜２００μｍで好ましく、より好ましいのは、２４μｍ〜６０μｍである。
第１変化段階は、２μｍ〜１０μｍの平均振幅があり、第２変化段階は、１μｍ〜１０μｍの平均振幅があり、即ちプリズム５１構造における高さの全体変化は、１μｍ〜１５μｍである。
前記プリズム５１構造における表面の夾角αは、７０度〜１１０度の何れかの角度であり、より好ましいのは、８０度〜１００度である。本実施例のプリズム構造は、プリズム（輝度向上フィルム）の構造化表面と相隣の他のプリズム平面との接触面積を低減することができることにより、光学カップリング現象の発生を低減できる。
【００１９】
図７の（ａ）〜（ｃ）は、本発明の実施の形態に係る光学フィルムの第３変化構成を概略的に示す参考図である。第１変化段階（図７の（ａ））と第２変化段階（図７の（ｂ））とを結合することにより、複合の変化段階（図７の（ｃ））になる。第１変化段階は、光学フィルムのプリズム構造に適用してその長さ方向（Ｙ軸）に沿ってプリズム同士の距離（Ｘ軸）を変化することができ、また、第２変化段階は、光学フィルムのプリズム構造に適用してその長さ方向（Ｙ軸）に沿ってプリズムの高さ（Ｚ軸）を変化することができる。
この実施例において、プリズムの高さ（Ｚ軸）は、プリズムの側方向（Ｘ軸）に沿って変化する。前記第１変化段階は、Ｙ軸に沿ってＸ軸に変化し、また、前記第２変化段階は、Ｙ軸に沿ってＺ軸に変化する。第１と第２変化段階は、共に規則的、半規則的、ランダム又はランダム類似の方式によって側方向に向かって変化する。
第１変化は、５０μｍ〜１，０００μｍの公称周期を有し、また、第２変化は、５０μｍ〜１，０００μｍの公称周期を有し、第１変化の公称周期は、第２変化の公称周期の４倍〜１，０００倍である。或いは、第１変化の公称周期は、第２変化の公称周期の０．０１倍〜１，０００倍である。
【００２０】
図８（ａ）〜（ｄ）は、本発明の実施の形態に係る光学フィルムの第３変化構成の実施例を概略的に示す参考図である。第１変化段階は、プリズム構造の間隔に表現され、また、第２変化段階は、プリズム構造の高さに表現される。第１変化の公称周期は、第２変化の公称周期の４倍〜４００倍である。前記プリズム同士の距離は、固定と平行している。輝度向上フィルム構造（プリズム）の間隔は、１０μｍ〜２００μｍで好ましく、より好ましいのは、２４μｍ〜６０μｍである。
第１変化段階は、２μｍ〜１０μｍの平均振幅があり、第２変化段階は、１μｍ〜１０μｍの平均振幅がある。前記プリズム構造における夾角αは、７０度〜１１０度の何れかの角度であり、より好ましいのは、８０度〜１００度である。本実施例のプリズム構造は、第２変化段階により、プリズム（輝度向上フィルム）の構造化表面と相隣の他のプリズム平面との接触面積を低減することができることにより、光学カップリング（吸着）現象の発生を低減できる。本実施例のプリズム構造は、第１変化段階により、モアレを最小限に抑制することができる。
【００２１】
本発明における他の変化態様（図面なし）には、第１と第２変化段階は、共にプリズム構造の間隔と高さに表現される。簡単に言うと、第１と第２変化段階は、Ｙ軸またはＸ軸に沿ってＸ軸又はＺ軸に変化する。図９の（ａ）〜（ｃ）、本発明の実施の形態に係る光学フィルムのまた他の変化構成を概略的に示す参考図である。第１変化段階（図９の（ａ））と第２変化段階（図９の（ｂ））とを結合することにより、複合の変化段階（図９の（ｃ））になる。
第１変化段階により、光学フィルムのプリズム構造における間隔（Ｘ軸）と高さ（Ｚ軸）はその長さ方向（Ｙ軸）にそって変化する。また、第２変化段階により、光学フィルムのプリズム構造における高さ（Ｚ軸）はその長さ方向（Ｙ軸）にそって変化する。
この実施例においてプリズムの高さ（Ｚ軸）は前記プリズムの側方向（Ｘ軸）と長さ方向（Ｙ軸）に沿ってリアルに変化する。前記第１変化段階は、Ｙ軸に沿ってＸ軸とＺ軸に変化し、また、前記第２変化段階は、Ｙ軸に沿ってＺ軸に変化する。第１と第２変化段階は、共に規則的、半規則的、ランダム又はランダム類似の方式によって側方向に向かって変化する。第１変化は、５０μｍ〜１，０００μｍの公称周期を有し、また、第２変化は、５０μｍ〜１，０００μｍの公称周期を有し、第１変化の公称周期は、第２変化の公称周期の４倍〜１，０００倍である。或いは、第１変化の公称周期は、第２変化の公称周期の０．０１倍〜１，０００倍である。
【００２２】
図１０Ａの（ａ）〜（ｃ）は、本発明の実施の形態に係る光学フィルムの第２変化構成（図４）の他の実施例を概略的に示す参考図である。第１変化段階は、Ｘ軸に沿ってＺ軸の方向に変化する（図１０Ａの（ｂ））。第２変化段階は、Ｙ軸に沿ってＺ軸の方向に変化する（図１０Ａの（ａ））。第１変化段階と第２変化段階は、共にプリズムの高さに変化する。第１と第２変化段階の長さは、乱数であり、第１変化段階の公称長さは、第２変化段階の公称長さの０．０１倍〜４００倍である。図１０Ｂの（ｄ）は、本発明の光学フィルムであり、即ち輝度向上フィルム（輝度向上フィルム又は集光シート）の他の実施例である。
【００２３】
下表１に示すように、前記変化要旨に従って実験を行う結果を示す。モアレと吸着（輝度向上フィルムから液晶パネルまで）の欠陥発生は、４７インチのテレビによって評価を行い、このテレビの解析度は、１９２０ｘ１０８０である。光学フィルム１１０の配置位置は、液晶パネル（ＬＣＤ  Ｐａｎｅｌ）１１１との相対位置関係が図１１に示されるように、１１０は本発明の輝度向上フィルム、プリズムの延伸方向はパネルの長辺方向と平行し、光源の光線は、光学フィルムの背面から進入し、プリズムから射出した後、液晶パネル１１１に進入する。液晶パネル１１１と光学フィルム１１０とはモアレ又は吸着を発生するか否かについて、肉眼によって観測する。また、他の吸着（輝度向上フィルムから輝度向上フィルムまで）欠陥は、他の輝度向上フィルム１１２を前記他の輝度向上フィルムに設置して（図１２のように）、二枚の光学フィルムは吸着現象を発生するか否かについて、肉眼によって観測する。
【００２４】
表１から分かるように、輝度向上フィルムから液晶パネルまで又は輝度向上フィルムから輝度向上フィルムまでにもかかわらず、この光学フィルムは優れた吸着防止能力を有し、また、モアレ防止能力は、サンプル５、６、９、１１、１２のほうが優れている。
【００２５】
【表１】
2014041351.tif 000004
ただし、ＹＥＳは、観測可能であり、ＮＯは、観測不可能であり、Ｓｌｉｇｈｔは、略観測可能である。
【００２６】
図１３は、表１におけるサンプル１１が顕微鏡による観測される実際の外観図である。第１変化の公称周期は、約１７個のプリズムの長さ（公称距離は３８μｍ）であり、従って、第１変化段階の長さは約６７６μｍである。
図１４と図１５は、サンプル１１が三次元微細形状測定機（Ｋｏｓａｋａ  ＥＴ４０００ａ）による観測される二次元微細形状を示す参考図と三次元微細形状を示す参考図である。
図１４はＸ軸方向に沿って走査する二次元微細形状を示す参考図であり、図面からわかるように、プリズムの高さは乱数変化（３μｍ程度）であり、各６７６μｍの間隔に一組のプリズムの高さは特に高く（約７．５μｍ）、この特に高いプリズムでも３μｍ程度の高さ変化があり、従って、サンプル１１における第１変化の公称周期の長さは６７６μｍであり、振幅は７．５μｍである。第２変化の公称周期の長さは２，０００μｍであり、振幅は３μｍである。また、第１変化段階の長さは第２変化段階の長さの０．３３８倍である。
図１５は、サンプル１１が三次元微細形状測定機（Ｋｏｓａｋａ  ＥＴ４０００ａ）による観測される三次元微細形状を示す参考図である。
【００２７】
本発明の技術領域に属する技術者は、前記掲示の構成と実施例を調整又は変更することは自明であり、本発明の発明要旨と精神に離脱してない調整又は変更は、本発明の範囲に含まれるはずである。
【符号の説明】
【００２８】
３０      輝度向上フィルム
３１      プリズム
３２      構造化層
３３      透明の支持素材
５０      輝度向上フィルム
５１      プリズム
１１０    光学フィルム
１１１    液晶パネル
１１２    輝度向上フィルム
Ｈ        プリズムの高さ
Ｐ        距離（間隔）
ＰＲ１    第１変化の公称周期
ＰＲ２    第２変化の公称周期
α        角度
【図１】
2014041351.tif 000005
【図２】
2014041351.tif 000006
【図７】
2014041351.tif 000007
【図９】
2014041351.tif 000008
【図１０Ｂ】
2014041351.tif 000009
【図１１】
2014041351.tif 000010
【図１２】
2014041351.tif 000011
【図１４】
2014041351.tif 000012
【図３】
2014041351.tif 000013
【図４】
2014041351.tif 000014
【図５】
2014041351.tif 000015
【図６】
2014041351.tif 000016
【図８】
2014041351.tif 000017
【図１０Ａ】
2014041351.tif 000018
【図１３】
2014041351.tif 000019
【図１５】
2014041351.tif 000020